(57)【特許請求の範囲】
【請求項１】
燃料ガスを貯蔵する燃料タンクと、前記燃料ガスと空気を酸化反応させて熱を発生させる触媒燃焼加熱部と、前記触媒燃焼加熱部の温度を検知して同触媒燃焼加熱部を任意の温度に制御する制御部と、前記制御部に接続され前記触媒燃焼加熱部を任意の温度に加熱する温度設定と燃焼を停止する切設定を行う操作部と、前記触媒燃焼加熱部と燃料タンクおよび制御部を開閉自在な収容部に着脱自在に収容する加温部と、前記加温部を人体に装着する装着部と、前記燃料タンクから前記触媒燃焼加熱部に燃料ガスを供給して前記触媒燃焼加熱部の動作を開始させるスイッチとを具備し、前記加温部の外面側に前記操作部を引き出す開口部を形成し、前記開口部の近傍に前記操作部の収納部を設けるとともに、前記スイッチを前記開口部近傍の加温部内に配設し、前記開口部より前記スイッチを操作可能に構成した触媒燃焼式温熱用具。
【請求項２】
制御部に着脱自在な電源を設けるとともに、燃料ガスを充填した燃料タンクを着脱自在に構成し、前記電源と燃料タンクの取り外し方向を、収容部に設けた開閉側に設定した請求項１記載の触媒燃焼式温熱用具。
【発明の詳細な説明】
【０００１】
【発明の属する技術分野】
本発明は、液化燃料ガスを触媒燃焼させることによって得られる熱を利用して、人体を暖める触媒燃焼式温熱用具に関するものである。
【０００２】
【従来の技術】
従来、人体の一部を暖める温熱用具としては、例えば、内部に面状ヒータを埋め込んだ商用電源を利用する温熱具が一般的であった。また、酸化鉄粉の化学的反応から得られる熱を利用する使い捨てカイロに粘着剤を付加し、人体の任意の部位に貼り付けて使用するものも考えられている。
【０００３】
【発明が解決しようとする課題】
このような従来の温熱用具によれば、ヒータに商用電源電圧を印加するものであるため、電源コードを設けて商用電源に接続する必要があり、電源のない屋外で使用する用途には対応できないという問題を有していた。また、電源コードに代えてバッテリーを使用することも考えられているが、重量が重くて使い勝手が悪く実用的でないという問題があった。
【０００４】
また、化学的反応を利用したものでは、温度制御手段がないため、周囲の温度に対応して人体を任意の温度で暖めることが困難であるとともに、一回につき数時間使用するだけで使い捨てにしなければならず、非経済的であるという問題も有していた。
【０００５】
本発明は上記課題を解決するもので、商用電源に接続することなく任意の場所で、人体の任意の部位を安全かつ適切に暖めることができる、触媒燃焼式温熱用具を提供することを目的としている。
【０００６】
【課題を解決するための手段】
本発明は上記目的を達成するために、燃料ガスを貯蔵する燃料タンクと、前記燃料ガスと空気を酸化反応させて熱を発生させる触媒燃焼加熱部と、前記触媒燃焼加熱部の温度を検知して同触媒燃焼加熱部を任意の温度に制御する制御部と、前記制御部に接続され前記触媒燃焼加熱部を任意の温度に加熱する温度設定と燃焼を停止する切設定を行う操作部と、前記触媒燃焼加熱部と燃料タンクおよび制御部を開閉自在な収容部に着脱自在に収容する加温部と、前記加温部を人体に装着する装着部と、前記燃料タンクから前記触媒燃焼加熱部に燃料ガスを供給して前記触媒燃焼加熱部の動作を開始させるスイッチとを具備し、前記加温部の外面側に前記操作部を引き出す開口部を形成し、前記開口部の近傍に前記操作部の収納部を設けるとともに、前記スイッチを前記開口部近傍の加温部内に配設し、前記開口部より前記スイッチを操作可能に構成したものである。
【０００７】
これにより、商用電源に接続することなく任意の場所で、周囲の温度に対応して人体の任意の部位を、安全かつ適切に暖めることができるとともに、装着部により加温部を人体に装着した状態、または人体に装着していない状態のいずれでも、開口部よりスイッチを操作することにより触媒燃焼加熱部の動作を開始させることができ、しかも、触媒燃焼加熱部の動作を開始させるスイッチを制御部に接続した操作部とは別に設けることにより、誤操作により触媒燃焼加熱部が動作を開始するのを防止することができる。
【０００８】
【発明の実施の形態】
本発明の請求項１に記載の発明は、燃料ガスを貯蔵する燃料タンクと、前記燃料ガスと空気を酸化反応させて熱を発生させる触媒燃焼加熱部と、前記触媒燃焼加熱部の温度を検知して同触媒燃焼加熱部を任意の温度に制御する制御部と、前記制御部に接続され前記触媒燃焼加熱部を任意の温度に加熱する温度設定と燃焼を停止する切設定を行う操作部と、前記触媒燃焼加熱部と燃料タンクおよび制御部を開閉自在な収容部に着脱自在に収容する加温部と、前記加温部を人体に装着する装着部と、前記燃料タンクから前記触媒燃焼加熱部に燃料ガスを供給して前記触媒燃焼加熱部の動作を開始させるスイッチとを具備し、前記加温部の外面側に前記操作部を引き出す開口部を形成し、前記開口部の近傍に前記操作部の収納部を設けるとともに、前記スイッチを前記開口部近傍の加温部内に配設し、前記開口部より前記スイッチを操作可能に構成したものであり、商用電源に接続することなく任意の場所で、人体の任意の部位を、安全かつ適切に暖めることができるとともに、装着部により加温部を人体に装着した状態で、加温部の外面側に形成した開口部より引き出した操作部を操作することができ、また、操作終了後、操作部を収納部に収納できるため、操作部の取り出し、収納が容易で、使い勝手を向上することができる。また、装着部により加温部を人体に装着した状態、または人体に装着していない状態のいずれでも、開口部よりスイッチを操作することにより触媒燃焼加熱部の動作を開始させることができ、しかも、触媒燃焼加熱部の動作を開始させるスイッチを制御部に接続した操作部とは別に設けることにより、誤操作により触媒燃焼加熱部が動作を開始するのを防止することができる。
【０００９】
請求項２に記載の発明は、上記請求項１に記載の発明において、制御部に着脱自在な電源を設けるとともに、燃料ガスを充填した燃料タンクを着脱自在に構成し、前記電源と燃料タンクの取り外し方向を、収容部に設けた開閉側に設定したものであり、加温部を人体に装着した状態で開閉自在な収容部を開くことにより、電源や燃料ガスを取り外して容易に交換することができる。
【００１０】
【実施例】
以下、本発明の実施例について図面を参照しながら説明する。
【００１１】
（実施例１）
図１および図２に示すように、燃料タンク１は、液化石油ガスなどの燃料ガスを貯蔵するもので、カートリッジに充填して着脱自在に設けてあり、この燃料タンク１内の燃料ガスを気化装置（図示せず）で気化し、空気との混合ガスを触媒燃焼加熱部２に供給する。燃料タンク１と可撓性の連通管３で連結した触媒燃焼加熱部２は、燃料ガスと空気を酸化反応させて触媒燃焼し発熱する。
【００１２】
制御部４は、触媒燃焼加熱部２が予め設定された温度に加熱されるように温度制御を行うもので、触媒燃焼加熱部２への燃料ガスの供給を制御することにより行われる。スイッチ５は、燃料タンク１から触媒燃焼加熱部２に燃料ガスを供給して触媒燃焼加熱部２の動作を開始させるものである。
【００１３】
操作部６は制御部４から引き出され、触媒燃焼加熱部２を任意の温度に加熱する温度設定と、燃焼を停止する切設定を行う。そして、制御部４には温度制御装置（図示せず）と燃料ガスの着火装置（図示せず）を動作させる電池等の電源４ａを着脱自在に設けている。
【００１４】
加温部７は、人体の任意の部位に当接して加温するもので、この加温部７の両側にベルト状の装着部８に設けており、図３に示すように、燃料タンク１、触媒燃焼加熱部２および制御部４をファスナー７ａ等により開閉自在に構成した収容部９に着脱自在に収容している。
【００１５】
そして、燃料タンク１、触媒燃焼加熱部２および制御部４は、収容部９内での動揺を防止するために、例えば保持部１０によって収容部９内の人体側の内面に保持するようにしてあり、燃焼ガスはネット等で形成した大気連通の排気部７ｂから外部へ排出されるようにしている。
【００１６】
加温部７の両側に形成した装着部８は、布などの繊維体で形成し、人体に装着するときに接合する面ファスナーなどの結合部１１ａ，１１ｂを設けている。結合部１１ａは一方の装着部８の外面側の比較的広い範囲に形成してあり、結合部１１ｂは他方の装着部８の内面側に形成している。
【００１７】
触媒燃焼加熱部２へ供給する外気を取り入れる吸気部１２は、内面側に結合部１１ｂを形成した装着部８の外面側に設けてあり、この吸気部１２は、図４に示すように、装着部８を重合させて人体に装着したとき、吸気部１２が装着部８の外面側に位置するように構成している。
【００１８】
吸気管１３は、触媒燃焼加熱部２から装着部８の内部を通して吸気部１２に延びるように設け、この吸気管１３に着脱自在に設けた端部１４を吸気部１２と対向またはその近傍に配置している。また、上記吸気管１３の端部１４内にはフィルター（図示せず）を設け、綿埃や糸屑等が吸引されて触媒燃焼加熱部２に侵入するのを防止している。
【００１９】
加温部７の外面側に操作部６を引き出す開口部１５を形成し、開口部１５の近傍に操作部６を収納する収納部１６を設けている。また、スイッチ５を開口部１５の近傍の加温部７内に配設している。さらに、装着部８の外面側には任意の長さのベルトＡを通すベルト通し部１７を設けている。
【００２０】
上記構成において動作を説明すると、燃料ガスを充填した燃料タンク１から触媒燃焼加熱部２に燃料ガスを気化して供給し、スイッチ５を操作して触媒燃焼加熱部２に着火し、触媒燃焼を開始する。同時に制御部４から引き出された操作部６により任意の温度に設定すると、制御部４は、触媒燃焼加熱部２を設定された所定の温度に制御する。
【００２１】
したがって、加温部７を装着部８により腰、肩部などの人体の任意の部位に当接し、装着部８に設けた結合部１１ａ，１１ｂを結合して装着すると、加熱された触媒燃焼加熱部２の熱は、加温部７を通して人体に伝わり加温することができる。このとき、制御部４によって触媒燃焼加熱部２を所定の温度に制御することができるため、外気温等の周囲温度に対応して快適で安全に加温することができる。また、熱源が燃料タンク１内の液化燃料ガスであるため、商用電源に接続することなく、任意の場所で人体の任意の部位を安全、かつ適切に暖めることができる。
【００２２】
また、装着部８に触媒燃焼加熱部２へ供給する外気を取り入れる吸気部１２を設け、装着部８を重合させて人体に装着したとき、吸気部１２が装着部の外面側に位置するように構成しているので、装着部８を重合させて人体に装着した状態で、吸気部１２より確実に外気を取り入れることができ、取り入れた外気を触媒燃焼加熱部２へ供給することができて失火の恐れがなく、人体の任意の部位を安全かつ適切に暖めることができる。
【００２３】
また、吸気管１３の端部１４内にフィルターを設けているため、燃料タンク１内の液化燃料ガスが触媒燃焼加熱部２へ供給された際に、吸気管１３から外気ともに綿埃や糸屑等が吸引されて触媒燃焼加熱部２内に侵入するのを防止することができるとともに、端部１４を吸気管１３に対して着脱自在に設けているので、綿埃や糸屑等が容易に除去できて外気をスムースに吸引することができる。
【００２４】
また、加温部７の外面側に操作部６を引き出す開口部１５を形成し、開口部１５の近傍に操作部６の収納部１６を設けているので、加温部７を装着部８により人体に装着した状態で、加温部７の外面側に形成した開口部１５より引き出した操作部６を操作して、触媒燃焼加熱部２を任意の温度に加熱する温度設定、燃焼を停止する切設定などを行うことができ、また、操作終了後、操作部６を収納部１６に収納できるため、操作部６の取り出し、収納が容易で、使い勝手を向上することができる。
【００２５】
また、燃料タンク１から触媒燃焼加熱部２に燃料ガスを供給して触媒燃焼加熱部２の動作を開始させるスイッチ５を開口部１５近傍の加温部７内に配設しているので、装着部８により加温部７を人体に装着した状態、または人体に装着していない状態のいずれでも、開口部１５よりスイッチ５を操作することにより触媒燃焼加熱部２の動作を開始させることができ、しかも、スイッチ５を制御部４に接続した操作部６とは別に設けることにより、誤操作により触媒燃焼加熱部２が動作を開始するのを防止することができる。
【００２６】
また、制御部４に着脱自在に設けた電源４ａと、着脱自在に設けた燃料タンク１の取り外し方向を、収容部９に設けた開閉側に設定しているため、加温部７を人体に装着した状態でもファスナー７ａを操作して収容部９を開くことにより、電源４ａや燃料タンク１を取り外して容易に交換することができる。
【００２７】
また、装着部８の外面側にベルト通し部１７を設けているので、加温部７を装着する人体の体型により装着部８の長さが足りず、結合部１１ａ，１１ｂが接合できない場合は、使用者の体型に適した長さの別のベルトＡをベルト通し部１７に通して、加温部７を人体に装着することができる。
【００２８】
逆に、人体の装着部分が細い場合は、結合部１１ａ，１１ｂを結合しても加温部７を人体の表面にフィットできないことがあり、このような場合でも同様に、使用者の体型に適した長さの別のベルトＡをベルト通し部１７に通してしっかりと装着することができる。
【００２９】
さらに、動きの多いときにも強固に保持するために用いることも可能である。このように装着部８の長さが一定であっても、人体の体型や使用する部位に影響されることなく装着することができる。
【００３０】
なお、本実施例では、ベルト通し部１７は装着部８に設けているが、加温部７または加温部７と装着部８の両方に設けても同様の作用効果を得ることができる。
【００３１】
（実施例２）
図５に示すように、吸気部１８は、触媒燃焼加熱部（図示せず）へ供給する外気を取り入れるもので、装着部１９に設け、吸気管の端部１４を吸気部１８に配置し、この吸気部１８を網状体により構成している。他の構成は上記実施例１と同じである。
【００３２】
上記構成において作用を説明すると、吸気部１８を網状体で構成しているため、吸気部１８が塞がれることがなく、網状体より吸気管を通して触媒燃焼加熱部へ外気を確実に供給することができる。
【００３３】
（実施例３）
図６に示すように、加温部２０は、人体側を第１の構成体２１で形成するとともに、外面側を第２の構成体２２で形成し、第１の構成体２１と第２の構成体２２とで形成した収容部２３に触媒燃焼加熱部２を着脱自在に収容し、第２の構成体２２を伸縮性の材料で形成している。
【００３４】
触媒燃焼加熱部２は、収容部２３内での移動や動揺を防止するために、保持部２４によって収容部２３内の人体側の内面に保持し、触媒燃焼加熱部２と第１の構成体２１との間に断熱材２５を設けている。他の構成は上記実施例１と同じである。
【００３５】
上記構成において作用を説明すると、第１の構成体２１と第２の構成体２２とを重ね合わせて縫製等により一体化し、収容部２３に触媒燃焼加熱部２を着脱自在に収容して人体に巻き付けて装着したとき、外面側の第２の構成体２２が伸びて容易に装着することができる。したがって、第１の構成体２１と第２の構成体２２とを立体的に成形することが不要で、加工を容易にすることができる。
【００３６】
また、触媒燃焼加熱部２は、保持部２４によって収容部２３内の人体側の内面に保持しているので、収容部２３内での動揺を防止することができ、触媒燃焼加熱部２と第１の構成体２１との間に断熱材２５を設けているので、人体側の温度が高くなりすぎることがない。
【００３７】
なお、本実施例では、加温部２０の人体側を第１の構成体２１で形成するとともに、外面側を第２の構成体２２で形成し、第２の構成体２２を伸縮性の材料で形成しているが、装着部（図示せず）または加温部２０と装着部の両方の人体側を第１の構成体で形成するとともに、外面側を第２の構成体で形成し、第２の構成体を伸縮性の材料で形成しても同様の作用効果を得ることができる。
【００３８】
（実施例４）
図７に示すように、加温部２６は、人体側を第１の構成体２７で形成するとともに、外面側を第１の構成体２７より通気性のよい第２の構成体２８で形成し、第１の構成体２７と第２の構成体２８とで形成した収容部２９に触媒燃焼加熱部２を着脱自在に収容している。他の構成は上記実施例１と同じである。
【００３９】
上記構成において作用を説明すると、装着部（図示せず）により加温部２６を人体に装着し、触媒燃焼加熱部２にて燃料ガスと空気を酸化反応させて熱を発生させたとき、排気中に水分が発生するとともに、燃料ガスが流出する場合がある。
【００４０】
この排気中の水分または流出した生ガスなどは、通気性の良い第２の構成体２８から外部へ放出され、人体側に侵入しないため、安全で、かつ使用感をよくすることができる。
【００４１】
なお、本実施例では、加温部２６の人体側を第１の構成体２７で形成するとともに、外面側を第１の構成体２７より通気性のよい第２の構成体２２で形成しているが、装着部（図示せず）または加温部２６と装着部の両方の人体側を第１の構成体で形成するとともに、外面側を第１の構成体より通気性のよい第２の構成体で形成しても同様の作用効果を得ることができる。
【００４２】
【発明の効果】
以上のように本発明の請求項１に記載の発明によれば、燃料ガスを貯蔵する燃料タンクと、前記燃料ガスと空気を酸化反応させて熱を発生させる触媒燃焼加熱部と、前記触媒燃焼加熱部の温度を検知して同触媒燃焼加熱部を任意の温度に制御する制御部と、前記制御部に接続され前記触媒燃焼加熱部を任意の温度に加熱する温度設定と燃焼を停止する切設定を行う操作部と、前記触媒燃焼加熱部と燃料タンクおよび制御部を開閉自在な収容部に着脱自在に収容する加温部と、前記加温部を人体に装着する装着部と、前記燃料タンクから前記触媒燃焼加熱部に燃料ガスを供給して前記触媒燃焼加熱部の動作を開始させるスイッチとを具備し、前記加温部の外面側に前記操作部を引き出す開口部を形成し、前記開口部の近傍に前記操作部の収納部を設けるとともに、前記スイッチを前記開口部近傍の加温部内に配設し、前記開口部より前記スイッチを操作可能に構成したから、商用電源に接続することなく任意の場所で、人体の任意の部位を安全かつ適切に暖めることができるとともに、装着部により加温部を人体に装着した状態、または人体に装着していない状態のいずれでも、開口部よりスイッチを操作することにより触媒燃焼加熱部の動作を開始させることができ、しかも、触媒燃焼加熱部の動作を開始させるスイッチを制御部に接続した操作部とは別に設けることにより、誤操作により触媒燃焼加熱部が動作を開始するのを防止することができる。
【００４３】
また、請求項２に記載の発明によれば、制御部に着脱自在な電源を設けるとともに、燃料ガスを充填した燃料タンクを着脱自在に構成し、前記電源と燃料タンクの取り外し方向を、収容部に設けた開閉側に設定したから、加温部を人体に装着した状態でも開閉自在な収容部を開くことにより、電源や燃料タンクを容易に交換することができる。
【図面の簡単な説明】
【図１】  本発明の第１の実施例の触媒燃焼式温熱用具の一部切欠した斜視図
【図２】  同触媒燃焼式温熱用具の要部分解斜視図
【図３】  同触媒燃焼式温熱用具の加温部の拡大断面図
【図４】  同触媒燃焼式温熱用具の装着状態の上面図
【図５】  本発明の第２の実施例の触媒燃焼式温熱用具の要部断面図
【図６】  本発明の第３の実施例の触媒燃焼式温熱用具の要部断面図
【図７】  本発明の第４の実施例の触媒燃焼式温熱用具の要部断面図
【符号の説明】
１  燃料タンク
２  触媒燃焼加熱部
７  加温部
８  装着部
１２  吸気部
【図１】
0003911851.tif 000002
【図２】
0003911851.tif 000003
【図３】
0003911851.tif 000004
【図４】
0003911851.tif 000005
【図５】
0003911851.tif 000006
【図６】
0003911851.tif 000007
【図７】
0003911851.tif 000008